(57)【要約】【課題】  短時間で的確に継ぎ手管をヘッダー本体に固定して形成できるヘッダーおよびそのヘッダーを用いた暖房マットを提供する。【解決手段】  内部に通路１３が形成されているヘッダー本体１１の通路１３の開口端側に、継ぎ手管１２を挿入する挿入穴部１４を形成する。挿入穴部１４の内周壁には段部１５を設け、段部１５よりも奥側を圧入穴部１６と成し、段部１５よりも手前の開口側は圧入穴部１６よりも大径の遊嵌穴部１７と成す。継ぎ手管１２の挿入側の外周壁には係止用段部２２を設け、継ぎ手管１２の挿入先端側は前記圧入穴部１６に圧入固定される圧入嵌合部２０と成して圧入穴部１６に圧入固定する。継ぎ手管１２の係止用段部２２よりも後部側を圧入嵌合部２０より大径に形成した遊嵌嵌合部２１とし、前記遊嵌穴部１７に隙間１８を介して嵌合する。この隙間１８に鑞材１９を設け、挿入穴部１４の遊嵌穴部１８に固定する。【選択図】        図１
2005326120.tif 000002
【特許請求の範囲】
【請求項１】
内部に通路が形成されているヘッダー本体の当該通路の開口端側に、継ぎ手管を挿入する挿入穴部が形成されているヘッダーにおいて、前記挿入穴部の内周壁は段部を有して該段部よりも奥側は圧入穴部と成し、前記段部よりも手前の開口側は前記圧入穴部よりも大径の遊嵌穴部と成し、前記継ぎ手管の挿入側の外周壁は係止用段部を有して挿入先端側が前記圧入穴部に圧入固定される圧入嵌合部と成し、前記係止用段部よりも後部側は前記圧入嵌合部より大径に形成されて前記遊嵌穴部に隙間を介して挿入嵌合される遊嵌嵌合部と成しており、前記継ぎ手管の圧入嵌合部が前記挿入穴部の圧入穴部に圧入固定され、前記挿入穴部の内周壁の段部に前記継ぎ手管の係止用段部が係止し、前記継ぎ手管の遊嵌嵌合部が前記隙間に設けられた固定材により前記挿入穴部の遊嵌穴部に固定されていることを特徴とするヘッダー。
【請求項２】
固定材は鑞材により形成されていることを特徴とする請求項１記載のヘッダー。
【請求項３】
請求項１または請求項２記載のヘッダーを有し、暖房用の熱媒体を通す熱媒体流通パイプがマット部の面に沿って引き回し形成され、前記熱媒体流通パイプとヘッダーが継ぎ手管を介して連通接続されており、前記ヘッダーのヘッダー本体内には往通路と戻り通路が形成され、前記往通路の入力端には外部から熱媒体を導入する熱媒体導入部が接続され、前記往通路の出力端には前記熱媒体流通パイプへの熱媒体入力端側が接続され、前記戻り通路の入力端には前記熱媒体流通パイプからの熱媒体出力端側が接続され、前記戻り通路の出力端には前記熱媒体流通パイプの熱媒体を外部に排出する熱媒体排出部が接続されていることを特徴とする暖房マット。
【発明の詳細な説明】
【技術分野】
【０００１】
本発明は、室内の壁や天井やフローリングの床等に配設されて室内の暖房を行うための暖房マット等において、暖房用の熱媒体を通すパイプと熱源器とを接続するため等に用いられるヘッダーおよびそのヘッダーを用いた暖房マットに関するものである。
【背景技術】
【０００２】
フローリング等の床暖房を行う装置として、温水式の暖房マットが知られている。
【０００３】
図５には本出願人が開発している暖房マットの一例が熱源器と共に示されている。同図に示すように、暖房マット１は板状のマット部であるマット本体２を有し、このマット本体２は根太である小根太３と、小マット基材４と、根太である小小根太５とを有して構成されている。上記小根太３と小小根太５は対を成し、間隙を介してほぼ同軸状に並べられて根太部を構成し、この根太部と小マット基材４は交互に配列されてマット本体２を構成している。
【０００４】
上記マット本体２における上記小根太３と小小根太５の間の間隙および小マット基材４の上面側には、暖房用の熱媒体である温水を通すパイプ（熱媒体流通パイプ）６が１本以上（図５に示す例ではパイプ６ａとパイプ６ｂの２本）引き回し形成されている。また、マット本体２の上面には該マット本体２の上面全面を覆うように放熱材であるアルミ箔（図示せず）が接着剤等を利用して貼り付けられている。
【０００５】
上記マット本体２にはヘッダー７が組み込まれ、ヘッダー７には外部配管８を介して熱源器１０が接続されている。ヘッダー７の構成は、様々に提案されている（例えば、特許文献１参照。）
【０００６】
図６（ａ）には、ヘッダー７の一例が示されており、この図に示すように、ヘッダー７は、金属製のヘッダー本体１１に継ぎ手管１２を挿入固定して形成されている。ヘッダー本体１１の内部には、通路１３（１３ａ，１３ｂ）が形成され、この通路１３（１３ａ，１３ｂ）の開口端側には、継ぎ手管１２を挿入する挿入穴部１４が形成されている。それぞれの挿入穴部１４には継ぎ手管１２が挿入され、鑞付けにより固定されている。
【０００７】
前記通路１３は、ヘッダー本体１１にクロス状に区画配置形成された往通路１３ａと戻り通路１３ｂを有している。往通路１３ａの入力端９ａには、継ぎ手管１２ａを介して前記外部配管８が接続され、継ぎ手管１２ｂを介して往側のパイプ６ｂが接続されている。往通路１３ａの出力端９ｂには、継ぎ手管１２ｄを介して往側のパイプ６ｂが接続されている。
【０００８】
また、戻り通路１３ｂの入力端９ａには、継ぎ手管１２ｃを介して戻り側のパイプ６ａが接続されている。戻り通路１３ｂの出力端９ｂには、継ぎ手管１２ｆを介して前記外部配管８が接続され、継ぎ手管１２ｅを介して戻り側のパイプ６ａが接続されている。
【０００９】
つまり、往通路１３ａの入力端９ａには、外部から熱媒体（ここでは温水）を導入する熱媒体導入部が接続され、往通路１３ａの出力端９ｂには熱媒体流通パイプ（ここでは往側のパイプ６ｂ）への熱媒体入力端側が接続され、戻り通路１３ｂの入力端９ａには熱媒体流通パイプ（ここでは戻り側のパイプ６ａ）からの熱媒体出力端側が接続され、戻り通路１３ｂの出力端には熱媒体流通パイプ（ここでは戻り側のパイプ６ａ）の熱媒体（ここでは温水）を外部に排出する熱媒体排出部が接続されている。パイプ６ａ，６ｂは架橋ポリエチレン等の樹脂で形成されている。
【００１０】
図６（ｂ）には、図６（ａ）の破線枠Ａ内の拡大図が示されている。図６（ｂ）に示すように、前記それぞれの挿入穴部１４の内径は継ぎ手管１２の挿入先端側の外径より大きく形成されており、継ぎ手管１２の挿入先端側は、挿入穴部１４に隙間１８を介して挿入嵌合されている。そして、この隙間１８に設けられた鑞材１９により継ぎ手管１２が挿入穴部１４に固定されている。なお、図を分かりやすくするために、図６（ｂ）において、隙間１８の大きさと鑞材１９の量は誇張して示している。
【００１１】
継ぎ手管１２の鑞付けによる固定は、前記隙間１８にフラックスを塗って鑞材１９を流し込み、鑞材１９を高周波によって局部的に加熱して行われるものである。継ぎ手管１２は挿入穴１４に隙間１８を介して挿入されるため、継ぎ手管１２をヘッダー本体１１の側面側に配置して前記隙間１８に鑞材１９を流し込むと、鑞材１９が偏り、的確な鑞付けができないので、鑞付けは、継ぎ手管１２をヘッダー本体１１の上側に配置した状態で、前記隙間１８に鑞材１９を流し込んで行われる。
【００１２】
つまり、例えば継ぎ手管１２ｂ，１２ｃをヘッダー本体１１の上側に配置して継ぎ手管１２ｂ，１２ｃの挿入穴部１４への固定を行った後、図６（ａ）の矢印Ｂに示すように回転させて、図６（ａ）に示すような状態で継ぎ手管１２ａ，１２ｆの挿入穴部１４への固定を行い、その後、さらに、上記矢印Ｂに示す方向にヘッダー本体１１を回転させ、継ぎ手管１２ｄ，１２ｅをヘッダー本体１１の上側に配置して継ぎ手管１２ｄ，１２ｅの挿入穴部１４への固定を行っている。
【００１３】
【特許文献１】特開平８−２７８０３５
【発明の開示】
【発明が解決しようとする課題】
【００１４】
しかしながら、図６（ａ）に示したようなヘッダー７において、上記のように、継ぎ手管１２をヘッダー本体１１に一斉に固定できずに、ヘッダー本体１１の上側に配置した継ぎ手管１２を順次鑞付けする工程を繰り返すと、その分だけ時間がかかるし、フラックスが次工程で挿入穴部１４に流れ込み、鑞付けがやりにくく、的確な鑞付け固定が困難であるといった問題があった。
【００１５】
本発明は、上記従来の課題を解決するために成されたものであり、その目的は、短時間で的確に継ぎ手管をヘッダー本体に固定して形成できるヘッダーおよびそのヘッダーを用いた暖房マットを提供することにある。
【課題を解決するための手段】
【００１６】
上記目的を達成するために、本発明は次のような構成をもって課題を解決する手段としている。すなわち、第１の発明のヘッダーは、内部に通路が形成されているヘッダー本体の当該通路の開口端側に、継ぎ手管を挿入する挿入穴部が形成されているヘッダーにおいて、前記挿入穴部の内周壁は段部を有して該段部よりも奥側は圧入穴部と成し、前記段部よりも手前の開口側は前記圧入穴部よりも大径の遊嵌穴部と成し、前記継ぎ手管の挿入側の外周壁は係止用段部を有して挿入先端側が前記圧入穴部に圧入固定される圧入嵌合部と成し、前記係止用段部よりも後部側は前記圧入嵌合部より大径に形成されて前記遊嵌穴部に隙間を介して挿入嵌合される遊嵌嵌合部と成しており、前記継ぎ手管の圧入嵌合部が前記挿入穴部の圧入穴部に圧入固定され、前記挿入穴部の内周壁の段部に前記継ぎ手管の係止用段部が係止し、前記継ぎ手管の遊嵌嵌合部が前記隙間に設けられた固定材により前記挿入穴部の遊嵌穴部に固定されている構成をもって課題を解決する手段としている。
【００１７】
また、第２の発明のヘッダーは、上記第１の発明の構成に加え、前記固定材は鑞材により形成されている構成をもって課題を解決する手段としている。
【００１８】
さらに、第３の発明の暖房マットは、上記第１または第２の発明のヘッダーを有し、暖房用の熱媒体を通す熱媒体流通パイプがマット部の面に沿って引き回し形成され、前記熱媒体流通パイプとヘッダーが継ぎ手管を介して連通接続されており、前記ヘッダーのヘッダー本体内には往通路と戻り通路が形成され、前記往通路の入力端には外部から熱媒体を導入する熱媒体導入部が接続され、前記往通路の出力端には前記熱媒体流通パイプへの熱媒体入力端側が接続され、前記戻り通路の入力端には前記熱媒体流通パイプからの熱媒体出力端側が接続され、前記戻り通路の出力端には前記熱媒体流通パイプの熱媒体を外部に排出する熱媒体排出部が接続されている構成をもって課題を解決する手段としている。
【発明の効果】
【００１９】
本発明のヘッダーによれば、継ぎ手管を挿入する挿入穴部の内周壁は段部を有して該段部よりも奥側は圧入穴部と成し、この圧入穴部に継ぎ手管の先端側の圧入嵌合部が圧入固定されているので、継ぎ手管の挿入側は、がたつきのない状態でヘッダー本体の挿入穴部に圧入固定される。そして、この圧入固定により、継ぎ手管の係止用段部よりも後部側の遊嵌嵌合部の外周壁と前記挿入穴部の段部より手前側の遊嵌穴部の内周壁との間にほぼ均一に隙間が形成される。
【００２０】
また、本発明のヘッダーにおいて、継ぎ手管の係止用段部よりも後部側は前記圧入嵌合部より大径に形成されており、ヘッダー本体の挿入穴部の内周壁の段部に継ぎ手管の係止用段部が係止するので、継ぎ手管の挿入方向の位置も的確に決定される。
【００２１】
そして、本発明のヘッダーによれば、前記隙間に設けられた固定材によって、継ぎ手管を的確に、かつ、複数同時に挿入穴部に固定することができるので、継ぎ手管を短時間で的確にヘッダー本体に固定してヘッダーを形成することができ、ヘッダーの歩留まりを向上することができ、コストを安くできる。
【００２２】
また、本発明のヘッダーにおいて、固定材は鑞材により形成されている構成によれば、鑞付けによって、継ぎ手管を短時間で的確にヘッダー本体に固定してヘッダーを形成することができる。
【００２３】
さらに、本発明の暖房マットによれば、マット部の面に沿って引き回し形成されて、暖房用の熱媒体を通す熱媒体流通パイプと、上記構成の本発明のヘッダーが継ぎ手管を介して連通接続されており、ヘッダーのヘッダー本体内に形成された往通路と戻り通路を介して前記熱媒体流通パイプに熱媒体を導入したり、熱媒体流通パイプから熱媒体を排出したりするので、暖房マットのコストダウンを図ることができる。
【発明を実施するための最良の形態】
【００２４】
以下、本発明の実施の形態を、図面を参照して説明する。なお、本実施形態例の説明において、従来例と同一名称部分には同一符号を付し、その重複説明は省略または簡略化する。
【００２５】
図１（ａ）には、本発明に係るヘッダーの一実施形態例の断面構成が示されており、図１（ｂ）には、図１（ａ）の破線枠Ａ内の構成が拡大して示されている。さらに、図２には、本実施形態例のヘッダーの外観図が模式的に示されている。
【００２６】
図１（ａ）に示すように、本実施形態例のヘッダー７は、図６（ａ）に示した従来例と同様に、例えば暖房マットのパイプ６ａ，６ｂおよび外部配管８に接続され、内部に通路１３（１３ａ，１３ｂ）が形成されているヘッダー本体１１を有し、通路１３（１３ａ，１３ｂ）の開口端側には、継ぎ手管１２を挿入する挿入穴部１４が形成されているが、本実施形態例では従来例と異なり、挿入穴部１４と継ぎ手管１２の挿入部位の構成を以下の特徴的な構成としている。
【００２７】
つまり、本実施形態例において、図１（ｂ）に示すように、挿入穴部１４の内周壁は段部１５を有しており、該段部１５よりも奥側は圧入穴部１６と成しており、段部１４よりも手前の開口側は前記圧入穴部１６よりも大径の遊嵌穴部１７と成している。また、継ぎ手管１２の挿入側の外周壁は係止用段部２２を有して挿入先端側が前記圧入穴部１６に圧入固定される圧入嵌合部２０と成し、前記係止用段部２２よりも後部側は前記圧入嵌合部２０より大径に形成されて、前記遊嵌穴部１７に隙間１８を介して挿入嵌合される遊嵌嵌合部２１と成している。
【００２８】
そして、前記継ぎ手管１２の圧入嵌合部２０が前記挿入穴部１４の圧入穴部１６に圧入固定され、前記挿入穴部１４の内周壁の段部１５に前記継ぎ手管１２の係止用段部２２が係止し、前記継ぎ手管２２の遊嵌嵌合部２１が前記隙間１８に設けられた固定材としての鑞材１９により挿入穴部１４の遊嵌穴部１７に固定されている。なお、図１（ｂ）においても、図を分かりやすくするために、隙間１８の大きさや鑞材１９の量は誇張して示している。実際の隙間１８は、例えば０．０５ｍｍである。
【００２９】
本実施形態例は以上のように構成されており、継ぎ手管１２を挿入する挿入穴部１４の内周壁は段部１５を有し、該段部１５よりも奥側は圧入穴部１６と成して、この圧入穴部１６に継ぎ手管１２の先端側の圧入嵌合部２０が圧入固定されているので、継ぎ手管１２をヘッダー本体１１の挿入穴部１４に取り付けると、継ぎ手管１２の挿入先端側の圧入嵌合部２０が、がたつきのない状態でヘッダー本体１１の挿入穴部１４の圧入穴部１６に圧入固定される。
【００３０】
そして、上記圧入固定の際、挿入穴部１４の内周壁の段部１５に継ぎ手管１２の係止用段部２２が係止すると共に、挿入穴部１４の遊嵌穴部１７と継ぎ手管１２の遊嵌嵌合部２１との間には、偏り無く隙間１８が形成される。つまり、隙間１８は、遊嵌嵌合部２１の外周側にほぼ均一に形成される。
【００３１】
そして、前記隙間１８にフラックスを塗って鑞材１９を設け、高周波による加熱や炉においての加熱を行うことによって、継ぎ手管１２を的確に、かつ、複数同時に挿入穴部１４に固定することができる。したがって、本実施形態例のヘッダー７は、継ぎ手管１２を短時間で的確にヘッダー本体１１に固定して歩留まり良く形成することができ、コストを安くできる。
【００３２】
なお、継ぎ手管１２をヘッダー本体１１の挿入穴部１４に圧入後、例えば鑞付け時等に加熱すると、以下に述べるように、歩留まりを高くすることができる。図３（ａ）には、ヘッダー７の組み立て前のヘッダー本体１１の斜視図が示されており、図３（ｂ）にはその破線枠Ａ内の拡大図が示されている。加熱すると、ヘッダー本体１１の外側は自由に膨張するが、図３（ｂ）に示すように、挿入穴部１４は周囲の（ヘッダー本体１１の）金属が内側に膨張使用とするため、自由に膨張することができない。
【００３３】
一方、図３（ｃ）の斜視図に示すような継ぎ手管１２の外側は単品状態で外側に自由に膨張しようとするので、図３（ｄ）に示すように、前記挿入穴部１４に当たる面、すなわち、圧入嵌合部２０の外周面は外側に膨張し、したがって、ヘッダー本体１１に継ぎ手管１２を圧入後に加熱すると、加熱前と比較してより強く圧入されたのと同じ状態となる。したがって、加熱により継ぎ手管１２がヘッダー本体１１の挿入穴部１４から外れることはなく、歩留まりを高くすることができる。
【００３４】
さらに、本実施形態例のヘッダー７を、例えば図５に示したような、適宜の暖房マット１に適用することにより、温水等の熱媒体を往側のパイプ６ｂに供給したり、戻り側のパイプ６ａ側から受けて排出側に導いたりする動作を的確に行えるようにでき、暖房マット１のコストダウンを図ることができる。
【００３５】
なお、本発明は上記実施形態例に限定されることはなく、様々な態様を採り得る。例えば、上記実施形態例では、６本の継ぎ手管１２を有するクロスヘッダー構成としたが、継ぎ手管１２の数は特に限定されるものでなく、適宜設定されるものであり、例えば図４に示すように、１０本の継ぎ手管１２を有するダブルクロスヘッダーとしてもよい。
【００３６】
また、上記実施形態例では、通路１３（１３ａ，１３ｂ）をクロス状態に区画配置形成したが、通路１３の配置構成や、配設数、形状等の構成は特に限定されるものでなく適宜設定されるものである。
【００３７】
さらに、上記実施形態例では、固定材としての鑞材１９を用いて継ぎ手管１２をヘッダー本体１１に固定したが、固定材は鑞材とは限らず、半田等の適宜の固定材を適用できる。
【００３８】
さらに、上記実施形態例では、ヘッダー７を図５に示したような構成の暖房マット１に適用したが、本発明の暖房マットは、図５に示した構成とは限らず、小根太３や小小根太５の配置やパイプ６ａ，６ｂの構成、熱媒体等の詳細は特に限定されるものでなく、上記実施形態例のような本発明のヘッダーを適用して適宜形成されるものである。
【００３９】
つまり、本発明の暖房マットは、本発明のヘッダーのヘッダー本体内に往通路１３ａと戻り通路１３ｂを形成し、往通路１３ａの入力端には外部から熱媒体を導入する熱媒体導入部を接続し、往通路１３ａの出力端には、マット部の面に沿って引き回し形成される熱媒体流通パイプへの熱媒体入力端側を接続し、前記戻り通路１３ｂの入力端には前記熱媒体流通パイプからの熱媒体出力端側を接続し、戻り通路１３ｂの出力端には熱媒体流通パイプの熱媒体を外部に排出する熱媒体排出部を接続して適宜形成されるものである。
【００４０】
さらに、上記実施形態例では、ヘッダーを暖房マットに適用した例を挙げたが、本発明のヘッダーは、暖房マット以外にも適用できるものであり、継ぎ手管を介して接続される接続相手側とヘッダー本体内の通路を接続し、接続相手側と通路とに媒体を流通させる様々なヘッダーに適用される。
【図面の簡単な説明】
【００４１】
【図１】本発明に係るヘッダーの一実施形態例の断面構成図とその一部拡大図である。
【図２】上記実施形態例のヘッダーの外観図である。
【図３】上記実施形態例のヘッダーの組み立て時の、加熱による歩留まり向上効果を説明する図である。
【図４】本発明に係るヘッダーの他の実施形態例の外観図である。
【図５】暖房マットの一例の構成を示す説明図である。
【図６】従来、暖房マットに適用されているヘッダーの一例を断面図により示す説明図と、その一部拡大図である。
【符号の説明】
【００４２】
１  暖房マット
２  マット本体
６，６ａ，６ｂ  パイプ
７  ヘッダー
１１  ヘッダー本体
１２  継ぎ手管
１３，１３ａ，１３ｂ  通路
１４  挿入穴部
１５  段部
１６  圧入穴部
１７  遊嵌穴部
１８  隙間
１９  鑞材
２０  圧入嵌合部
２１  遊嵌嵌合部
２２  係止用段部
【図１】
2005326120.tif 000003
【図２】
2005326120.tif 000004
【図３】
2005326120.tif 000005
【図４】
2005326120.tif 000006
【図５】
2005326120.tif 000007
【図６】
2005326120.tif 000008